(57)【要約】【課題】  現像剤補給容器が着脱自在に装着されかつ画像形成装置に対して着脱自在な現像装置において、操作性を低下させることなく、画像形成装置から取り外された現像装置においても誤動作を回避することにある。【解決手段】  この現像ユニット５において、補給口レバー２３は、トナーコンテナ２の補給口４１を開閉するよう操作され、第１姿勢と第２姿勢とを採り得る。ロックレバー２５は、トナーコンテナ２をコンテナ装着部３３に対しロック及びロック解除するよう操作され、補給口レバー２３が第１姿勢を採る場合は操作可能であるとともに補給口レバー２３が第２姿勢を採る場合は操作不能となる。回動抑制部材２７は、プリンタ１から取り外される際に、補給口レバー２３の第１姿勢から第２姿勢への動きを抑制するとともに、プリンタ１に装着される際に、補給口レバー２３に対する抑制を解除する。【選択図】      図８
2007033887.tif 000002
【特許請求の範囲】
【請求項１】
現像剤を補給するための補給口を有しかつ前記補給口を開閉するためのシャッタ部材を有する現像剤補給容器が着脱自在に装着されるとともに、画像形成装置に対し着脱自在に装着される現像装置であって、
前記現像剤補給容器が装着される装着部と、
前記装着部に装着された前記現像剤補給容器のシャッタ部材を動かして前記現像剤補給容器の補給口を開閉するよう操作され、前記補給口が閉じた状態での第１姿勢と前記補給口が開いた状態での第２姿勢とを採り得る第１操作部材と、
前記現像剤補給容器を前記装着部に対しロック及びロック解除するよう操作され、前記第１操作部材が前記第１姿勢を採る場合は操作可能であるとともに前記第１操作部材が前記第２姿勢を採る場合は操作不能となる第２操作部材と、
前記画像形成装置から取り外される際に、前記第１操作部材の前記第１姿勢から前記第２姿勢への動きを抑制するとともに、前記画像形成装置に装着される際に、前記第１操作部材に対する抑制を解除する抑制部材と、
を備えた現像装置。
【請求項２】
前記抑制部材は、前記現像装置の前記画像形成装置に対する着脱動作に伴って揺動可能であるとともに、外方に突出する突起を有し、
前記画像形成装置は、前記着脱動作に伴って前記突起が係止及び係止解除可能な被係止部を有し、
前記抑制部材は、前記突起が前記被係止部に係止することにより前記第１操作部材の動きに対する抑制を解除するよう揺動するとともに、前記突起が前記被係止部から外れることにより前記第１操作部材の動きを抑制するよう揺動する、
請求項１に記載の現像装置。
【請求項３】
前記第１操作部材は、操作力が入力される第１つまみ部を有し、
前記第２操作部材は、前記第１操作部材に近接して配置されかつ操作力が入力される第２つまみ部を有するとともに、前記第２つまみ部は、前記第１操作部材が前記第２姿勢を採る場合に前記第１つまみ部に係止される、
請求項１または２に記載の現像装置。
【請求項４】
前記第２操作部材は、前記装着部にロックされた現像剤補給容器をロック解除するための第１方向と、前記第１方向と逆側の第２方向とに移動可能であり、
前記第１つまみ部は、前記第２つまみ部を覆うよう係止可能なカバー部を有し、前記カバー部は、前記第２つまみ部の前記第１方向側に配置可能な当接部を有している、
請求項３に記載の現像装置。
【請求項５】
請求項１から４のいずれか１項に記載の現像装置と、
前記現像装置による現像が行われる現像剤担持体を有する画像形成部と、
を備えた画像形成装置。
【請求項６】
前記第１操作部材が前記第２姿勢を採らない場合に、前記画像形成装置による画像形成動作が行われないよう警告する警告手段をさらに備えた、請求項５に記載の画像形成装置。
【発明の詳細な説明】
【技術分野】
【０００１】
本発明は、現像装置、特に、現像剤を補給するための補給口を有しかつ前記補給口を開閉するためのシャッタ部材を有する現像剤補給容器が着脱自在に装着されるとともに、画像形成装置に対し着脱自在に装着される現像装置に関する。
【０００２】
また、本発明は、そのような現像装置が着脱自在に装着される画像形成装置に関する。
【背景技術】
【０００３】
電子写真方式を採用する従来の画像形成装置として、例えば、トナーが充填されたトナーコンテナが着脱自在に装着されかつ画像形成装置本体に対し着脱自在に装着される現像ユニットを備えたものがある。この種の現像ユニットに装着されるトナーコンテナは、通常、内部のトナーを現像ユニットに補給するための補給口と、この補給口を開閉するためのシャッタ部材とを備えている。
【０００４】
そして、このような構成の従来の画像形成装置では、現像ユニットは、一般に、装着されたトナーコンテナをロックするためのロックレバーと、トナーコンテナのシャッタ部材を動かして補給口を開閉するための補給口レバーとを備えている。ロックレバーは、トナーコンテナの長手方向に沿ってスライド可能になっており、補給口レバーは、トナーコンテナの一方の長手方向端部側において回動可能になっており、それぞれ手で操作可能なつまみ部を有している。
【０００５】
この種の現像ユニットでは、トナーコンテナが装着される動作に伴って、ロックレバーが動作してトナーコンテナがロックされるとともに、補給口レバーとシャッタ部材が所定のギア列を介して連結され、この状態で補給口レバーを回動させると補給口が開くようになっている。一方、トナーコンテナを取り外す場合は、まず、補給口レバーを装着時と逆方向に回動して補給口を閉じ、次いでロックレバーをスライドさせてトナーコンテナのロック状態を解除することにより行える。
【０００６】
しかしながら、ロックレバー及び補給口レバーは、それぞれのつまみ部によって独立して操作可能であることから、上記手順を逆にして行われる可能性があるが、この場合、補給口が開いた状態でトナーコンテナが取り外されることになるので、取り外されたトナーコンテナからトナーが漏出するおそれがある。かかる事態を回避するためには、トナーコンテナの着脱に際して、２つのレバーの操作順を意識して操作しなければならず、操作性が悪くなる。
【０００７】
そこで、従来、補給口が開いた状態でのロックレバーの操作を不能とすることで、誤動作によるトナー漏出等を防止するための技術が既に提案されている（例えば、特許文献１参照）。
【特許文献１】特開平１０−２０６４２号公報
【発明の開示】
【発明が解決しようとする課題】
【０００８】
しかしながら、上記従来の技術では、現像ユニットが、画像形成装置に装着された状態での誤動作は回避できるものの、画像形成装置から取り外された状態になると、補給口レバーは自由に動かせるので、これによりトナーコンテナが現像ユニットから外れて落下してしまう場合がある。特に、現像ユニットを画像形成装置から取り外し、現像ユニットからトナーコンテナを取り外す場合において、現像ユニットは、不安定な形状であることから転がり易く、これにより破損するおそれがある。
【０００９】
また、上記従来の技術のように誤動作を回避するための手段が講じられているとしても、２つのレバーは、各つまみ部が外部に独立して露出していることから、なお誤って無理な力で操作されようとする可能性があり、この場合には、レバーやこれらに当接される周辺部位等が損傷を受けるおそれがる。
【００１０】
本発明の課題は、現像剤補給容器が着脱自在に装着されかつ画像形成装置に対して着脱自在な現像装置において、操作性を低下させることなく、画像形成装置から取り外された現像装置においても誤動作を回避することにある。
【課題を解決するための手段】
【００１１】
請求項１に記載の現像装置は、現像剤を補給するための補給口を有しかつ補給口を開閉するためのシャッタ部材を有する現像剤補給容器が着脱自在に装着されるとともに、画像形成装置に対し着脱自在に装着される現像装置であって、装着部と、第１操作部材と、第２操作部材と、抑制部材とを備えている。装着部は、現像剤補給容器が装着される。第１操作部材は、装着部に装着された現像剤補給容器のシャッタ部材を動かして現像剤補給容器の補給口を開閉するよう操作され、補給口が閉じた状態での第１姿勢と補給口が開いた状態での第２姿勢とを採り得る。第２操作部材は、現像剤補給容器を装着部に対しロック及びロック解除するよう操作され、第１操作部材が第１姿勢を採る場合は操作可能であるとともに第１操作部材が第２姿勢を採る場合は操作不能となる。抑制部材は、画像形成装置から取り外される際に、第１操作部材の第１姿勢から第２姿勢への動きを抑制するとともに、画像形成装置に装着される際に、第１操作部材に対する抑制を解除する。
【００１２】
この現像装置は、画像形成装置から取り外される際に、第１操作部材は抑制部材により動きが抑制されるので、画像形成装置から取り外された状態において、従来のように第１操作部材が不用意に操作されて現像剤補給容器が外れてしまうのを回避できる。一方、この現像装置は、画像形成装置に装着される動作に伴って、第１操作部材の抑制が自ずと解除される。そして、このような画像形成装置に対する着脱動作に伴って、第１操作部材の抑制及び抑制解除が自ずとなされるので、操作性に優れる。
【００１３】
また、この現像装置では、第２操作部材は、第１操作部材が第２姿勢を採る場合、すなわち補給口が開いた状態では操作不能となるので、補給口が開いたままで現像剤補給容器が取り外されるのを防止できる。一方、第２操作部材は、第１操作部材が第１姿勢を採る場合、すなわち補給口が閉じられた場合には操作可能となるので、現像剤補給容器は、必ず補給口が閉じた状態で現像装置から取り外されることになる。したがって、ここでは、２つの操作部材の操作順を意識せずに着脱動作を行え、操作性に優れている。
【００１４】
請求項２に記載の現像装置は、請求項１の装置において、抑制部材は、現像装置の画像形成装置に対する着脱動作に伴って揺動可能であるとともに、外方に突出する突起を有している。画像形成装置は、着脱動作に伴って突起が係止及び係止解除可能な被係止部を有している。そして、抑制部材は、突起が被係止部に係止することにより第１操作部材の動きに対する抑制を解除するよう揺動するとともに、突起が被係止部から外れることにより第１操作部材の動きを抑制するよう揺動する。
【００１５】
この現像装置では、かかる構成によって、優れた操作性が得られるとともに、画像形成装置から取り外された状態での誤動作を防止できる。
【００１６】
請求項３に記載の現像装置は、請求項１または２の装置において、第１操作部材は、操作力が入力される第１つまみ部を有している。また、第２操作部材は、第１操作部材に近接して配置されかつ操作力が入力される第２つまみ部を有するとともに、第２つまみ部は、第１操作部材が第２姿勢を採る場合に第１つまみ部に係止される。
【００１７】
この装置では、各操作部材はそれぞれに設けられたつまみ部を操作することで操作可能となっており、第１操作部材が第２姿勢を採る場合は、第１つまみ部が第２つまみ部に係止することで操作不能となる。
【００１８】
ここでは、第２つまみ部自体が操作不能となるので、第２つまみ部を誤って操作しようとすること自体を回避できる。したがって、従来のように無理に第２つまみ部を操作することによって生じる、第２操作部材又はこれに当接される周辺部位等の損傷を防ぐことができる。
【００１９】
請求項４に記載の現像装置は、請求項３の装置において、第２操作部材は、装着部にロックされた現像剤補給容器をロック解除するための第１方向と、第１方向と逆側の第２方向とに移動可能である。また、第１つまみ部は、第２つまみ部を覆うよう係止可能なカバー部を有し、カバー部は、第２つまみ部の第１方向側配置可能な当接部を有している。
【００２０】
この装置では、具体的に、第２つまみ部は、第１操作部材が第１姿勢を採る場合に、第１つまみ部の当接部によって第１方向への移動が規制されるので、これによって第２操作部材が操作不能となる。
【００２１】
請求項５に記載の画像形成装置は、請求項１から４のいずれか１項に記載の現像装置と、画像形成部とを備えている。画像形成部は、現像装置による現像が行われる現像剤担持体を有する。
【００２２】
請求項６に記載の画像形成装置は、請求項５の装置において、第１操作部材が第２姿勢を採らない場合に、画像形成装置による画像形成動作が行われないよう警告する警告手段をさらに備えている。
【００２３】
この装置では、第１操作部材の操作が不十分で補給口が完全に開かない場合には、ユーザーに対して警告がなされる。
【００２４】
なお、警告手段としては、例えば、後述するように画像形成装置に設けられた操作パネルの表示部に所定の警告メッセージを表示させる、或いは、別途設けられたスピーカから所定の警告音、音声による警告メッセージ等を発生させたりするものが挙げられる。
【発明の効果】
【００２５】
本発明によれば、画像形成装置から取り外される際に、第１操作部材は抑制部材により動きが抑制されるので、画像形成装置から取り外された状態において、従来のように第１操作部材が不用意に操作されて現像剤補給容器が外れてしまうのを回避できる。一方、この現像装置は、画像形成装置に装着される動作に伴って、第１操作部材の抑制が自ずと解除される。そして、このような画像形成装置に対する着脱動作に伴って、第１操作部材の抑制及び抑制解除が自ずとなされるので、操作性に優れる。
【００２６】
また、本発明によれば、第２操作部材は、第１操作部材が第２姿勢を採る場合、すなわち補給口が開いた状態では操作不能となるので、補給口が開いたままで現像剤補給容器が取り外されるのを防止できる。一方、第２操作部材は、第１操作部材が第１姿勢を採る場合、すなわち補給口が閉じられた場合には操作可能となるので、現像剤補給容器は、必ず補給口が閉じた状態で現像装置から取り外されることになる。したがって、ここでは、２つの操作部材の操作順を意識せずに着脱動作を行え、操作性に優れている。
【発明を実施するための最良の形態】
【００２７】
＜プリンタの構成＞
図１乃至図４に、本発明の一実施形態が採用されたプリンタ１（画像形成装置）またはその一部を示す。
【００２８】
このプリンタ１は、トナーコンテナ２から補給されるトナーを用いて画像形成を行うものであり、ユニット装着部３と、現像ユニット５（現像装置）と、画像形成部７と、操作パネル９（警告手段）とを備えている。
【００２９】
ユニット装着部３は、現像ユニット５が装着される凹所であり、軸方向（後述する感光体ドラム１２の軸方向と同方向）両端部の内壁に、現像ユニット５のボス２１ａ（後述）をガイドして現像ユニット５を所定位置まで案内するためのガイド溝３ａが設けられている。また、ユニット装着部３の軸方向両端部の内壁には、後述する回動抑制部材２７の突起２７ａが係止可能な係止用溝３ｂ（被係止部）が下方に延びて設けられている。
【００３０】
画像形成部７は、給紙カセット１１から搬送される用紙に対し印刷を行うためのものであり、感光体ドラム１２（現像剤担持体）と、その周囲に配置された帯電器１３、露光器１４、転写装置１５、クリーニング装置１６等を有している。
【００３１】
操作パネル９は、複数の操作キー及び表示部（共に図示せず）を有している。表示部には、印刷に関する種々の情報が表示される他、所定の条件下で警告メッセージを表示する。例えば、後述する補給口レバー２３が第２姿勢（後述）を採る程十分に回動していない場合にその旨を知らせる。
【００３２】
プリンタ１は、定着装置１７、図示しない給紙機構、排紙機構等の他の入出力部と、制御部とをさらに備えている。
【００３３】
制御部は、上記入出力部の動作の制御や、外部から印刷ジョブの処理等を行うためのものであり、ＣＰＵ及びメモリを含むマイクロコンピュータで構成される。制御部は、例えば、現像ユニット５の補給口レバー２３が第２姿勢を採らないことが所定のセンサ（図示せず）により検知された場合に、トナーコンテナ２のシャッタ部材４３（後述）が完全に開いていない旨の警告メッセージを表示部に表示させるとともに、補給口４１が完全に開くまでは、プリンタ１による印刷動作が行われないようにする。
【００３４】
＜現像ユニット＞
図５乃至図９に、現像ユニット５またはその一部を示す。
現像ユニット５は、トナーコンテナ２から補給されたトナーを感光体ドラム１２に供給するためのものであり、ユニット装着部３に着脱自在に装着される。現像ユニット５は、本体ケーシング２１と、補給口レバー２３（第１操作部材）と、ロックレバー２５（第２操作部材）と、回動抑制部材２７（抑制部材）とを備えている。
【００３５】
本体ケーシング２１には、感光体ドラム１２表面にトナーを供給するための現像ローラ３１、現像ローラ３１上のトナーに対し穂切りを行うブレード３２等が装着されているほか、トナーコンテナ２が装着されるためのコンテナ装着部３３が形成されている。また、本体ケーシング２１の軸方向両端部の外壁には、ユニット装着部３のガイド溝３ａにガイドされるボス２１ａが設けられている。また、本体ケーシング２１には、回動抑制部材２７の突起２７ａを外方に挿通させるための挿通孔２１ｂが設けられている。
【００３６】
補給口レバー２３は、コンテナ装着部３３に装着されたトナーコンテナ２のシャッタ部材４３を回動させてトナーコンテナ２の補給口４１（後述）を開閉するためのレバー部材である。補給口レバー２３は、手で操作するための第１つまみ部２３ａを有しており、図９に示す第１姿勢と、図８に示す第２姿勢との間で回動可能である。第１姿勢では補給口４１は閉じ、第２姿勢では補給口４１が完全に開く。また、補給口レバー２３は、回動抑制部材２７の当接面２７ｂ（後述）に当接される被当接面２３ｂを有している。また、補給口レバー２３は、これに隣接して本体ケーシング２１に配置された駆動ギア２２に係合するギア２３ｃが外周部に形成されており、操作されることで駆動ギア２２を介してトナーコンテナ２のギア４４を回動させる。
【００３７】
第１つまみ部２３ａの先端部には、補給口レバー２３が第２姿勢を採る場合に、ロックレバー２５の第２つまみ部２５ａの先端部を覆うことが可能なカバー部２４を有している。カバー部２４には、図５において左方（第１方向）に配置された当接部２４ａを有しており、第２つまみ部２５ａの第１方向側の端部に当接され得る。
【００３８】
ロックレバー２５は、トナーコンテナ２をコンテナ装着部３３に対しロック及びロック解除するために操作されるレバー部材であり、図５において左右方向にスライド自在に設けられている。ロックレバー２５は、手で操作するための第２つまみ部２５ａを有している。第２つまみ部２５ａは、補給口レバー２３に近接して配置されている。ロックレバー２５は、補給口レバー２３が第１姿勢を採る場合は、図９に示すように、第２つまみ部２５ａがカバー部２４によって覆われないために操作可能であるとともに、補給口レバー２３が第２姿勢を採る場合は、図８に示すように、第２つまみ部２５ａがカバー部２４に覆われるので操作不能となる。
【００３９】
また、ロックレバー２５は、図示しない付勢手段により図５において右方（第２方向）に付勢されており、トナーコンテナ２がコンテナ装着部３３に装着される際に、トナーコンテナ２のフック４７（後述）により付勢手段の付勢力に抗して僅かに第１方向に移動する。
【００４０】
回動抑制部材２７は、補給口レバー２３の回動を抑制及び抑制解除するための部材であり、その下端部が図２のＡ又はＢ方向に揺動自在に本体ケーシング２１に支持されている。回動抑制部材２７は、ユニット装着部３の係止用溝３ｂに係止可能な外方に突出する突起２７ａが設けられており、付勢手段２８により矢印Ｂ方向に付勢されている。このような回動抑制部材２７は、現像ユニット５がユニット装着部３に装着される際に、突起２７ａが係止用溝３ｂに係止して矢印Ａ方向に揺動する。これにより、回動抑制部材２７の当接面２７ｂが補給口レバー２３の被当接面２３ｂから外れて抑制状態が解除され、補給口レバー２３は回動自在となる。一方、回動抑制部材２７は、現像ユニット５がユニット装着部３から取り外される際に、突起２７ａが係止用溝３ｂから外れて付勢手段による付勢力を受けて矢印Ｂ方向に揺動する。これにより、補給口レバー２３の被当接面２３ｂが当接面２７ｂに当接し得る状態となって補給口レバー２３の回動が抑制され、補給口レバー２３は回動不能となる。
【００４１】
また、回動抑制部材２７には、補給口レバー２３の被当接面２３ｂが当接可能な当接面２７ｂを有している。回動抑制部材２７は、現像ユニット５がプリンタ１から取り外される際に、補給口レバー２３の第１姿勢から第２姿勢への動きを抑制するとともに、プリンタ１に装着される際に、補給口レバー２３に対する抑制を解除する。
【００４２】
＜トナーコンテナ＞
図１０及び図１１に、トナーコンテナ２を示す。
トナーコンテナ２は、内部にトナーが充填される容器であって、底面部にトナーを現像ユニット５に補給するための補給口４１が設けられている。トナーコンテナ２は、補給口４１を開閉するためのシャッタ部材４３を有しており、シャッタ部材４３は、ギア４４と一体に回動可能である。このギア４４は、トナーコンテナ２がコンテナ装着部３３に装着されると、現像ユニット５の駆動ギア２２と係合し、補給口レバー２３が操作されることで駆動ギア２２を介してシャッタ部材４３と一体に回動する。
【００４３】
また、トナーコンテナ２は、図１１の紙面手前側の２カ所に、ロックレバー２５に係止可能なフック４７が設けられている。各フック４７は、トナーコンテナ２がコンテナ装着部３３に装着される際に、ロックレバー２５の所定部位に下方向の押圧力を加えることで、一度ロックレバー２５を付勢手段の付勢力に抗して図５の左方に僅かにスライドさせ、さらに下方向の押圧力を加えることで、ロックレバー２５が付勢手段による付勢力を受けて図５の右方にスライドし、これによりコンテナ装着部３３にロックされる。
【００４４】
＜プリンタの動作＞
次に、プリンタ１の動作について説明する。
このプリンタ１では、現像ユニット５は、まずトナーコンテナ２が装着され、その後ユニット装着部３に装着される。
【００４５】
まず、トナーコンテナ２を現像ユニット５に装着する場合は、トナーコンテナ２のフック４７にロックレバー２５を係止させ、トナーコンテナ２をコンテナ装着部３３にロックする。このとき、ギア４４が補給口レバー２３に隣接する駆動ギア２２に係合するが、補給口レバー２３は、回動抑制部材２７が矢印Ｂ方向に付勢されていることで、被当接面２３ｂが当接面２７ｂにより当接されて回動不能となり、操作できない状態となる。したがって、この状態では補給口４１を開くことはできない。
【００４６】
次いで、トナーコンテナ２が装着された現像ユニット５をユニット装着部３に装着する際は、現像ユニット５は、ボス２１ａがガイド溝３ａにより所定位置まで案内される。このとき、回動抑制部材２７の突起２７ａが係止用溝３ｂに係止され、これにより、回動抑制部材２７は矢印Ａ方向に揺動し、これにより補給口レバー２３の抑制状態が解除され、補給口レバー２３は回動可能となる。そして、第１つまみ部２３ａが操作されることでシャッタ部材４３が回動して補給口４１が開く。
【００４７】
ここで、第１つまみ部２３ａの操作が不十分な場合は、操作パネル９の表示部に警告メッセージが表示され、補給口レバー２３が十分に操作されるまでは、外部からの印刷ジョブを受け取られても印刷動作が開始されず、補給口レバー２３が十分に操作されて補給口４１が完全に開くと、表示部から警告メッセージが消え、印刷ジョブが実行可能な状態となる。
【００４８】
一方、現像ユニット５をユニット装着部３から取り外す場合は、まず補給口レバー２３を操作して補給口４１を閉じ、次いで、現像ユニット５を取り出す。このとき、現像ユニット５は、ボス４３がガイド溝３ａに案内されることで外方に移動するが、突起２７ａが係止用溝３ｂから外れ、回動抑制部材２７が付勢手段による付勢力を受けて矢印Ｂ方向に揺動するので、補給口レバー２３は回動が抑制される。これにより、この状態では、誤って補給口レバー２３が操作されて補給口４１が開くことが防止される。
【００４９】
次いで、トナーコンテナ２を現像ユニット５から取り外す場合は、第２つまみ部２５ａを操作してロック解除することで、トナーコンテナ２を取り外すことができる。
【００５０】
以上のプリンタ１によれば、現像ユニット５がプリンタ１から取り外される際に、補給口レバー２３回動が抑制されるので、不用意に操作されてトナーコンテナ２が外れてしまうのを回避できる。一方、プリンタ１に装着される動作に伴って、補給口レバー２３の抑制が自ずと解除される。そして、このようなプリンタ１に対する着脱動作に伴って、補給口レバー２３の抑制及び抑制解除が自ずとなされるので、操作性に優れる。
【００５１】
また、ロックレバー２５は、補給口４１が開いた状態ではスライド不能となるので、補給口４１が開いたままでトナーコンテナ２が取り外されるのを防止できる。一方、ロックレバー２５は、補給口４１が閉じられた場合にはスライド可能となるので、トナー痕点あ２は、必ず補給口４１が閉じた状態で現像ユニット５から取り外されることになる。したがって、ここでは、２つのレバー２３，２５の操作順を意識せずに着脱動作を行え、操作性に優れている。
【００５２】
＜他の実施形態＞
（ａ）警告手段による警告は、操作パネルの表示部へのメッセージ表示に代えて、別途設けたスピーカによる警告音、音声メッセージ等の発生が行われても良い。
【００５３】
（ｂ）画像形成装置は、電子写真方式を採用するものであれば、プリンタに限定されず、複写機、ファクシミリ、或いはこれらの機能を併有する複合機であっても良い。
【図面の簡単な説明】
【００５４】
【図１】本発明の一実施形態が採用されたプリンタを示す縦断面図。
【図２】前記プリンタの要部を示す縦断面図。
【図３】前記プリンタの要部を示す斜視図。
【図４】前記プリンタの要部を示す斜視図。
【図５】現像剤補給容器が装着された、前記プリンタの現像装置を示す外観図。
【図６】前記現像装置の要部を示す斜視図。
【図７】前記現像装置の第１操作部材を示す外観図。
【図８】前記第１操作部材が第２姿勢にある、前記現像剤補給容器が装着された現像装置の要部を示す斜視図。
【図９】前記第１操作部材が第１姿勢にある、前記現像剤補給容器が装着された現像装置の要部を示す斜視図。
【図１０】前記現像剤補給容器を示す外観図。
【図１１】前記現像剤補給容器を示す外観図。
【符号の説明】
【００５５】
１  プリンタ（画像形成装置）
２  トナーコンテナ（現像剤補給容器）
３ｂ  係止用溝（被係止部）
５  現像ユニット（現像装置）
７  画像形成部
９  操作パネル（警告手段）
１２  感光体ドラム（現像剤担持体）
２３  補給口レバー（第１操作部材）
２３ａ  第１つまみ部
２４  カバー部
２４ａ  当接部
２５  ロックレバー（第２操作部材）
２５ａ  第２つまみ部
２７  回動抑制部材
２７ａ  突起
３３  コンテナ装着部
４１  補給口
４３  シャッタ部材
【図１】
2007033887.tif 000003
【図２】
2007033887.tif 000004
【図３】
2007033887.tif 000005
【図４】
2007033887.tif 000006
【図５】
2007033887.tif 000007
【図６】
2007033887.tif 000008
【図７】
2007033887.tif 000009
【図８】
2007033887.tif 000010
【図９】
2007033887.tif 000011
【図１０】
2007033887.tif 000012
【図１１】
2007033887.tif 000013